(57)【特許請求の範囲】
【請求項１】
スイッチギヤ枠体に収納され、接続位置と断路位置に前後に移動する引出機器の側面に、スイッチギヤ側の制御線の差し込みコネクタが接続される受けコネクタを設け、前記スイッチギヤ枠体の側面に前記差し込みコネクタの着脱用の開口を形成した引出機器収納装置において、
前記スイッチギヤ枠体に、前記接続位置において前記受けコネクタに接続された前記差し込みコネクタを覆い、前記差し込みコネクタの引き抜きを阻止する遮蔽板を設け、前記遮蔽板の前縁部に、回動する保護板の基部を取り付け、前記断路位置において前記スイッチギヤ枠体の内側へ回動して前記開口に対し垂直に位置した前記保護板を固定する固定機構を設け、前記断路位置の保護板により、前記断路位置において前記受けコネクタ後方の充電部を覆い、前記充電部への触手を阻止するようにしたことを特徴とする引出機器収納装置。
【発明の詳細な説明】
【０００１】
【発明の属する技術分野】
本発明は、接続位置と断路位置に前後に移動する遮断器、補機台車等の引出機器のスイッチギヤ枠体への収納装置に関し、さらに詳しくは、スイッチギヤ側の制御線の差し込みコネクタを、引出機器の側面の受けコネクタに着脱自在に接続する引出機器収納装置に関する。
【０００２】
【従来の技術】
以下図面において同一符号は同一もしくは相当するものを示す。
従来例を引出機器が遮断器の場合について、概略右側面図の図４を参照して説明する。引出機器１はスイッチギヤ枠体２に収納され、同図に示す接続位置と後方（同図では左方）の断路位置に前後に移動する。制御線３は引出機器１の前面から導出され、制御線３の先端の差し込みコネクタ４が、枠体２の取付板５に取り付けられた受けコネクタ６に接続され、引出機器１の制御線３がスイッチギヤ側と接続される。
【０００３】
そして、差し込みコネクタ４と受けコネクタ６との着脱は、引出機器１の断路位置で行われ、また制御線３は引出機器１が接続位置、断路位置のいずれの位置にあっても、扉７により外部と隔離されている。
【０００４】
つぎに、制御機器を引出機器の前面板に実装し、引出機器の前面板がスイッチギヤの正面板となる場合について、引出機器の斜視図の図５、引出機器をスイッチギヤ枠体の接続位置に収納した従来例斜視図の図６、断路位置に収納した従来例斜視図の図７を参照して説明する。
【０００５】
この場合、コネクタを引出機器１の側面に配置する必要があるため、引出機器１の側面に制御線の受けコネクタ６を設けるとともに、スイッチギヤ側の制御線の先端に差し込みコネクタ（図示せず）を設け、かつ、スイッチギヤ枠体２の側面に差し込みコネクタの着脱用の四角形の開口８を形成し、開口８を通して差し込みコネクタを受けコネクタ６に着脱自在に接続している。
【０００６】
そして、接続位置において、引出機器１の上・下の断路部接触子９・９’が、スイッチギヤ側の上・下の固定接触子１０・１０’に接続される。
【０００７】
【発明が解決しようとする課題】
図４に示す従来例の場合、差し込みコネクタ４が引出機器１の正面側に位置するため、引出機器１の接続位置においても差し込みコネクタ４を受けコネクタ６に着脱できるため、操作に注意が必要である。
【０００８】
また、図６及び図７に示す従来例の場合、図４に示す従来例と同様、引出機器１の接続位置においても差し込みコネクタを着脱でき、かつ、引出機器１を断路位置に移動した図７の状態において、開口８に内部の高圧充電部が近接しており、差し込みコネクタの着脱に際し、充電部に触手して感電する恐れがあるという課題がある。
【０００９】
本発明は、前記の点に留意し、引出機器の接続位置において制御線の差し込みコネクタの着脱を防止し、かつ、引出機器の断路位置において充電部に触手することを防止する引出機器収納装置を提供することを課題とする。
【００１０】
【課題を解決するための手段】
前記の課題を解決するために、本発明は、スイッチギヤ枠体に収納され、接続位置と断路位置に前後に移動する引出機器の側面に、スイッチギヤ側の制御線の差し込みコネクタが接続される受けコネクタを設け、前記スイッチギヤ枠体の側面に前記差し込みコネクタの着脱用の開口を形成した引出機器収納装置において、
前記スイッチギヤ枠体に、前記接続位置において前記受けコネクタに接続された前記差し込みコネクタを覆い、前記差し込みコネクタの引き抜きを阻止する遮蔽板を設け、前記遮蔽板の前縁部に、回動する保護板の基部を取り付け、前記断路位置において前記スイッチギヤ枠体の内側へ回動して前記開口に対し垂直に位置した前記保護板を固定する固定機構を設け、前記断路位置の保護板により、前記断路位置において前記受けコネクタ後方の充電部を覆い、前記充電部への触手を阻止するようにしたものである。
【００１１】
前記のように構成された本発明の引出機器収納装置は、スイッチギヤ枠体に、接続位置において差し込みコネクタを覆う遮蔽板が設けられているため、接続位置において差し込みコネクタを着脱することを防止でき、かつ、遮蔽板の前縁部に、回動する保護板の基部を取り付け、断路位置においてスイッチギヤ枠体の内側へ回動して開口に対し垂直に位置した保護板を固定する固定機構を設け、断路位置の保護板により、断路位置において受けコネクタ後方の充電部を覆うようにしたため、断路位置において差し込みコネクタを着脱する際、充電部に触手することを防止できる。
【００１２】
【発明の実施の形態】
本発明の実施の１形態を、図１ないし図３を参照して説明する。図１Ａ、Ｂは引出機器が接続位置及び断路位置の要部拡大切断平面図、図２は図１Ａの右側面図、図３は図１Ｂの右側面図である。
【００１３】
スイッチギヤ枠体２の側面開口８の奥側半分を縦長四角形の遮蔽板１１で覆い、遮蔽板１１の前縁部上・下に蝶番１２を取り付け、蝶番１２の可動片に遮蔽板１１より若干小形の保護板１３を取り付け、保護板１３を遮蔽板１１に平行な位置からスイッチギヤ枠体２の内側へ９０度回動自在にする。
【００１４】
この保護板１３の基部、即ち下側蝶番１２の部分から一体に保護板１３に平行に回動片１４が延設され、回動片１４に可動側ローラキャッチと称する止片１５が取り付けられている。
【００１５】
下側蝶番１２の下方位置の枠体２に支持片１６が突設され、支持片１６に固定側ローラキャッチと称する受具１７が取り付けられ、回動片１４が開口８に平行な位置から手動により９０度回動した時、止片１５が受具１７にはまって固定され、保護板１３が開口８に対し垂直位置に固定され、止片１５、受具１７により固定機構が構成されている。開口８の周縁には遮蔽用の細板１８が内方に向き取り付けられている。
【００１６】
図１Ｂ及び図３に示す引出機器１の断路位置において、引出機器１の受けコネクタ６は開口８の手前側半分の位置にあり、開口８に平行に位置した回動片１４を後方へ９０度回動し、止片１５を受具１７にはめる。この時、保護板１３が遮蔽板１１に平行、即ち開口８に平行な位置から９０度回動し、受けコネクタ６の後方に位置し、受けコネクタ６の後方の充電部を覆う。従って、この断路位置において、受けコネクタ６に差し込みコネクタ４を着脱する際、充電部が保護板１３により蔽われているため、手が開口８から充電部に接触することがなく、充電部への触手が阻止される。
【００１７】
差し込みコネクタ４が受けコネクタ６に接続された断路位置から、引出機器１を後方へ接続位置に移動すると、差し込みコネクタ４が保護板１３を後方へ押しやり、止片１５が受具１７から外れて固定機構のロックが外れ、図１Ａ及び図２に示す接続位置において、保護板１３が遮蔽板１１に平行に位置し、両コネクタ４、６の外方に遮蔽板１１が位置し、遮蔽板１１により差し込みコネクタ４が覆われ、この接続位置において、差し込みコネクタ４を受けコネクタ６から外すことは勿論、取り付けることができなく、接続位置における差し込みコネクタ４の着脱が阻止される。
【００１８】
なお、前記形態において、遮蔽板１１により開口８の奥側半分を覆うようにしたが、開口８を当初から手前側半分の大きさにするようにしてもよく、この場合、枠体２の側板が遮蔽板１１の作用をすることになる。またこの場合、枠体２の遮蔽板１１を兼ねる側板を、図示の遮蔽板１１のように若干膨出するのが望ましい。
【００１９】
また、固定機構として、ローラ式の止片１５、受具１７の代りにマグネット式の固定機構を用いてもよい。
【００２０】
【発明の効果】
本発明は、以上説明したように構成されているので、以下に記載されるような効果を奏する。
スイッチギヤ枠体２に、引出機器１の接続位置において差し込みコネクタ４を覆う遮蔽板１１が設けられているため、接続位置において、差し込みコネクタ４を着脱することができず、その着脱を防止でき、かつ、遮蔽板１１の前縁部に、回動する保護板１３の基部を取り付け、断路位置においてスイッチギヤ枠体２の内側へ回動して開口８に対し垂直に位置した保護板１３を固定する固定機構を設け、断路位置の保護板１３により、断路位置において受けコネクタ６後方の充電部を覆うようにしたため、断路位置において差し込みコネクタ４を着脱する際、あやまって充電部に触手することがなく、感電を防止することができる。
【図面の簡単な説明】
【図１】  本発明の実施の１形態の要部拡大切断平面図であり、Ａ，Ｂは引出機器が接続位置及び断路位置を示す。
【図２】  図１Ａの右側面図である。
【図３】  図１Ｂの右側面図である。
【図４】  従来例の概略右側面図である。
【図５】  引出機器の斜視図である。
【図６】  引出機器が接続位置の従来例斜視図である。
【図７】  引出機器が断路位置の従来例斜視図である。
【符号の説明】
１  引出機器
２  スイッチギヤ枠体
３  制御線
４  挿し込みコネクタ
６  受けコネクタ
８  開口
１１  遮蔽板
１３  保護板
【図１】
0003888018.tif 000002
【図２】
0003888018.tif 000003
【図３】
0003888018.tif 000004
【図４】
0003888018.tif 000005
【図５】
0003888018.tif 000006
【図６】
0003888018.tif 000007
【図７】
0003888018.tif 000008